【手続補正書】
【提出日】平成17年6月3日(2005.6.3)
【手続補正１】
【補正対象書類名】特許請求の範囲
【補正対象項目名】全文
【補正方法】変更
【補正の内容】
【特許請求の範囲】
【請求項１】
閉じているときは互いに協働して少なくとも一つの容器形成キャビティ（２８，３０）及び少なくとも一つのクロージャー形成キャビティ（３２，３４）を形成する金型ブロック（２０，２２）のセット（１８）が開いた状態の時に、これに隣接して、少なくとも一つの筒形パリソンを溶融熱可塑性材料から押し出成形し、前記キャビティ（２８，３０，３２，３４）は前記閉じた状態の金型ブロック（２０，２２）のセット内で間隔をおいて位置し、
前記金型ブロック（２０，２２）のセットを閉じて前記少なくとも一つのパリソンをその中で捕捉し、
前記容器形成キャビティ（２８，３０）内で中空容器本体（１２）を吹き込み成形すると同時に、前記クロージャー形成キャビティ（３２，３４）内でクロージャー（１４）を圧縮成形し、前記容器本体（１２）は完成体（１６）を持ち、また前記クロージャー（１４）は前記完成体（１６）と係合して前記容器本体（１２）を閉じた状態で密封するのに使用するため所定のサイズを持つ、
ステップからなるプラスチック容器とクロージャーの組み合わせ（１０）を製造する方法。
【請求項２】
少なくとも一つのパリソンを押し出し成形する前記ステップが、前記開いた状態の金型ブロック（２０，２２）のセット内で第１と第２のパリソンを同時に押し出すステップを含み、パリソンはともに前記金型ブロック（２０，２２）のセットが閉じると、その中に収納されて捕捉されることを特徴とする、請求項１に記載の方法。
【請求項３】
前記第１のパリソンの一部は前記容器形成キャビティ（２８，３０）内で吹き込み成形されて前記吹き込み成形容器本体（１２）を形成し、前記第２のパリソンの一部は同時に前記クロージャー形成キャビティ（３２，３４）内で圧縮成形されて前記圧縮成形クロージャー（１１４）を形成することを特徴とする、請求項２に記載の方法。
【請求項４】
前記パリソンは押し出された状態では互いに平行に延在し、所定の間隔をおいていることを特徴とする、請求項３に記載の方法。
【請求項５】
前記パリソンが同じ材料でできていることを特徴とする、請求項４に記載の方法。
【請求項６】
前記第１のパリソンが、前記第２のパリソンとは異なる材料でできていることを特徴とする、請求項４に記載の方法。
【請求項７】
前記金型ブロック（２０，２２）のセットが、複数の同じ金型ブロックセット（１８）を供えた回転自在なホィール装置に搭載されており、前記第１と第２のパリソンは連続して押し出され、前記ホィール装置が回転すると順次前記金型ブロックセット（１８）に連続的に送られることを特徴とする、請求項３に記載の方法。
【請求項８】
前記金型ブロック（２０，２２）のセットが一対の容器形成キャビティ（２８，３０）と、一対のクロージャー形成キャビティ（３２，３４）を形成することで、２つの吹き込み成形容器本体（１２ａ、１２ｂ）と圧縮成形クロージャー（４８，５０）が同時に前記金型ブロック（２０，２２）のセット内で形成されることを特徴とする、請求項３に記載の方法。
【請求項９】
前記第１のパリソンは前記２つの容器本体（１２ａ、１２ｂ）を形成し、前記第２のパリソンは前記２つのクロージャー（４８，５０）を形成するのに用いられることを特徴とする、請求項８に記載の方法。
【請求項１０】
前記容器本体（１２ａ、１２ｂ）とクロージャー（４８，５０）を前記金型ブロック（２０，２２）から同時に排出し、ついで、前記容器本体（１２ａ、１２ｂ）の上下とその間に延在し、クロージャー（４８，５０）の周縁方法に延在するバリ材（４２，４４，５６）をトリミングすることで、２つの独立した容器本体（１２）と２つの独立したクロージャー（１４）をもたらすステップをさらに含むことを特徴とする、請求項９に記載の方法。
【請求項１１】
前記容器本体（１２ａ、１２ｂ）からトリミングで切り離した前記バリ材（４２，４４）と、前記クロージャー（４８，５０）からトリミングで切り離した前記バリ材（５６）をリサイクルするステップをさらに含むことを特徴とする、請求項１０に記載の方法。
【請求項１２】
閉じたとき、分離し、細長く、横方向に間隔をおいた少なくとも一対のパリソン受け入れキャビティ（２４，２６）を規定する金型ブロック（２０，２２）のセットを具備し、前記パリソン受け入れキャビティの一つ（２４）は、少なくとも一つの容器本体形成部分（２８，３０）を持ち、もう一つの前記パリソン受け入れキャビティ（２６）は少なくとも一つのクロージャー形成部分（３２，３４）を持ち、
前記金型ブロック（２０，２２）のセットは、前記一対の、間隔をおいた、同時に押し出し成形されたパリソンを、同時に受け入れて型締めすることで、パリソンの一つの少なくとも一部が、前記容器形成部分（２８，３０）に受け入れられて、吹き込み成形容器本体（１２）が形成され、もう一つのパリソンの少なくとも一部が、前記クロージャー形成部分（３２，３４）に同時に受け入れられて、圧縮成形クロージャー（１４）が前記金型ブロック（２０，２２）のセット内で同時に形成されることを特徴とする、プラスチック容器とクロージャーの組み合わせ（１０）を製造するために用いられる装置。
【請求項１３】
多頭パリソンフローヘッドをさらに具備することで、少なくとも一対の伸長円筒形パリソンを、間隔をおいて並置された状態で同時に押し出し成形し、前記パリソンが同時に、開いた状態の前記金型ブロック（２０，２２）のセット内に受け入れられて、前記金型ブロック（２０，２２）のセットが閉じるとその中で捕捉されるように、を特徴とする、請求項１２に記載の装置。
【請求項１４】
前記フローヘッドに溶融熱可塑性材料を供給して、前記フローヘッドから同じ材料でできた一対のパリソンを同時に製造するため、前記多頭パリソンフローヘッドに連結された押出機をさらに具備することを特徴とする、請求項１３に記載の装置。
【請求項１５】
前記フローヘッドに異なる溶融熱可塑性材料を供給して、前記フローヘッドからそれぞれ異なる材料でできた少なくとも一対のパリソンを同時に製造するために、前記多頭パリソンフローヘッドにそれぞれ連結された一対の独立した押出機をさらに具備することを特徴とする、請求項１３に記載の方法。
【請求項１６】
複数の他の同一金型ブロックセット（１８）とともに前記金型ブロックのセット（１８）が搭載された回転自在な吹き込み成形ホィール装置をさらに具備し、前記フローヘッドが連続して一対のパリソンを押し出し成形すると、前記吹き込み成形ホィール装置が、パリソンを受け入れて捕捉する位置で開いた状態の金型ブロックセット（１８）を回転させ、前記ホィール装置が回転すると、前記金型ブロックセット（１８）が順次押し出し成形されたパリソンを連続して受け入れて捕捉することを特徴とする、請求項１３に記載の装置。
【請求項１７】
前記パリソン受け入れキャビティの一つ（２４）が、一対の容器本体形成部分（２８，３０）を持ち、もう一つの前記パリソン受け入れキャビティ（２６）が、少なくとも一対のクロージャー形成キャビティ（３２，３４）を持つことで、２つの容器本体（１２ａ、１２ｂ）と２つのクロージャー（４８，５０）が前記金型ブロック（２０，２２）のセット内で同時に形成可能な、請求項１３に記載の装置。
【請求項１８】
前記金型ブロック（２０，２２）のセットが、約少なくとも１５，０００ポンドの型締力を持つ、請求項１３に記載の装置。